(57)【要約】【課題】  給水源と直接的に接続された給水ユニットを経てなされる洗濯水槽内への給水を簡易に外部に取り出すことができ、周辺部において他の目的での使用を可能とする。【解決手段】  給水弁３と給水容器４とを給水管５により連絡してなる給水ユニットを、洗濯水槽２を支持する外箱１の一部に備えるランドリー機器において、洗濯水槽２の上部に開口する投入口11の周面から突出する給水容器４の前面に接続管６を突設し、この接続管６の先端に雄ねじを形成してなる接続端に導水管を接続し、給水容器４を経て洗濯水槽２内に供給される洗濯水を、接続管６及び導水管を経て外部に取り出す構成とする。【選択図】      図１
2005329120.tif 000002
【特許請求の範囲】
【請求項１】
給水入口からの給水を通断すべく開閉される給水弁と洗濯水槽内に開口する給水出口を有する給水容器とを給水通路により連絡してなる給水ユニットを、前記洗濯水槽を支持する外箱の一部に備えるランドリー機器において、
前記給水容器の一部に、該給水容器の内部の滞留水を外部に導く導水管の接続を可能とした接続管を備えることを特徴とするランドリー機器。
【請求項２】
前記外箱の一部を内外に貫通して形成され、前記導水管を挿通保持する挿通孔を備える請求項１記載のランドリー機器。
【請求項３】
給水入口からの給水を通断すべく開閉される給水弁と洗濯水槽内に開口する給水出口を有する給水容器とを給水通路により連絡してなる給水ユニットを、前記洗濯水槽を支持する外箱の一部に備えるランドリー機器において、
前記給水通路の中途に接続及び分離が可能な接離部を設け、該接離部の前記給水弁の側の端部に、前記給水容器の側の端部と共に、前記給水通路内の通水を外部に導く導水管との接続を可能とした接続端を備えることを特徴とするランドリー機器。
【請求項４】
前記給水容器内への前記給水通路の連通部に、前記導水管との接続を可能とした接続端を更に備える請求項３記載のランドリー機器。
【請求項５】
前記接離部の接続端と前記連通部の接続端とは、異なる種類の導水管との接続が可能に構成してある請求項４記載のランドリー機器。
【請求項６】
前記接離部は、前記外箱の外面に開口を有する凹部内に配してあり、前記開口からの操作により接続及び分離が可能に構成してある請求項３乃至請求項５のいずれかひとつに記載のランドリー機器。
【請求項７】
前記接離部は、前記外箱の外側に設けてある請求項３乃至請求項５のいずれかひとつに記載のランドリー機器。
【請求項８】
前記給水通路の中途に介装され、該給水通路の内部を流れる水に所定の処理を施す水処理ユニットを備える請求項１乃至請求項７のいずれかに記載のランドリー機器。
【請求項９】
前記水処理ユニットは、前記給水通路中の水に銀イオンを溶出させる銀イオン溶出ユニットである請求項８記載のランドリー機器。
【発明の詳細な説明】
【技術分野】
【０００１】
本発明は、洗濯水槽を支持する外箱に給水ユニットを一体に備え、該給水ユニットを給水源に直接的に配管接続し、洗濯水槽内への洗濯水の供給を前記給水ユニットを介して行わせるようにしたランドリー機器に関する。
【背景技術】
【０００２】
近年の住宅、特に、マンション、アパート等の集合住宅においては、洗面所、風呂場等の水回りが一か所に集められる間取りが広く採用されており、この種の住宅においては、洗面所及び風呂場の近くに防水パンを設置し、洗濯機に代表されるランドリー機器の置き場として利用している。
【０００３】
このような事情により近年のランドリー機器の多くは、洗面所又は風呂場に連なる水道管の中途にて分岐された分岐管を接続し、この分岐管を介して水道管から直接的に洗濯水の供給を行わせ得るようにしてあり、具体的には、洗濯水槽を内部に支持する外箱の一部に、分岐管に接続される給水入口と洗濯水槽内に開口する給水出口とを、給水弁、給水通路及び給水容器により連結してなる給水ユニットを備え、給水弁の開閉により給水入口を開閉して、開放時に、分岐管からの給水を、給水通路及び給水容器を経て給水入口から放出させ、洗濯水槽内に供給するようにしてある。なお、前記洗濯水槽とは、被洗濯物が投入される洗濯槽に限らず、この洗濯槽の外側を覆うように設けられた外槽を含む。
【０００４】
前記給水ユニットは、外箱の内部に一体に設ける構成（例えば、特許文献１参照）、外箱の外部に後付けする構成（例えば、特許文献２参照）等の種々の構成にて実用化されている。また給水容器を備えず、給水弁及び給水通路のみを備え、洗濯水槽内に開口する給水通路の先端から給水を行わせる構成としたランドリー機器もある（例えば、特許文献３参照）。なお給水ユニットの末端の給水容器は、給水通路内を流れる水を一旦滞留させ、一部に開設された給水出口から洗濯水槽内に広く分散する給水を行わせ、また、洗剤の投入ケースを付設することにより、予め洗剤の溶け出した水を供給する等、種々の付加機能を持たせるために必要なものである。
【０００５】
一方、近年のランドリー機器においては、洗濯水槽内に供給される水に所定の処理を施すべく、給水ユニットに水処理装置を備えたものがある。この水処理装置としては、例えば、洗浄力の向上を図るべく、水に含まれるカルシウムイオン、マグネシウムイオン等の陽イオンを除去するイオン除去装置（例えば、特許文献４参照）、また、洗濯水槽内でのすすぎに使用される水に抗菌機能を付加すべく、洗濯水に銀イオンを添加するイオン添加装置（例えば、特許文献５参照）等がある。
【特許文献１】特開２００３−４５６１１号公報
【特許文献２】実開平２−３２７８７号公報
【特許文献３】実開昭６０−１０９５８８号公報
【特許文献４】特開昭１０−３２８４８５号公報
【特許文献５】特開２００１−２７６４８４号公報
【発明の開示】
【発明が解決しようとする課題】
【０００６】
さて、ランドリー機器の近くにおいては、例えば、洗面所における洗髪のためのシャワーの使用等、専用の水栓からの給水ではなし得ない他の用途での水の使用が必要となる場合があり、分岐管を介してなされるランドリー機器への給水をこのような他の用途に使用することが切望されている。
【０００７】
更に、前述した如く洗浄力が高められた給水、抗菌機能が付加された給水等、所定の水処理がなされた給水が行われるランドリー機器においては、例えば、抗菌機能が付加された給水を食器の洗浄に使用する等、洗濯水槽内への給水の他の目的での使用が、より一層切望されることとなる。
【０００８】
しかしながら、前述した給水ユニットを備えるランドリー機器において、給水弁の開放により給水ユニットに供給される水は、末端に開設された給水出口から洗濯水槽内に放出されるのみであり、この給水を他の目的で使用する場合、例えば、一旦洗濯水槽内に溜めた水を、バケツを用いて汲み出す等の手段をとり得るのみであり、多くの労力を強いられるという問題があり、前述したシャワーのための使用等、連続した給水の使用は不可能である。
【０００９】
本発明は斯かる事情に鑑みてなされたものであり、給水ユニットを経てなされる洗濯水槽内への給水を簡易に外部に取り出すことができ、周辺部における他の目的での使用に好便に応え得るランドリー機器を提供することを目的とする。
【課題を解決するための手段】
【００１０】
本発明に係るランドリー機器は、給水入口からの給水を通断すべく開閉される給水弁と洗濯水槽内に開口する給水出口を有する給水容器とを給水通路により連絡してなる給水ユニットを、前記洗濯水槽を支持する外箱の一部に備えるランドリー機器において、前記給水容器の一部に、該給水容器の内部の滞留水を外部に導く導水管の接続を可能とした接続管を備えることを特徴とする。
【００１１】
本発明においては、給水出口を有する給水ユニット末端の給水容器に、シャワーホース等の導水管への接続が可能な接続管を設け、この接続管に導水管を接続した状態で給水を行わせることにより、該給水の一部又は全部を導水管を介して外部に導き、該導水管の末端から放出させて種々の用途での使用を可能とする。
【００１２】
また本発明に係るランドリー機器は、前記外箱の一部を内外に貫通して形成され、前記導水管を挿通保持する挿通孔を備えることを特徴とする。
【００１３】
この発明においては、洗濯水槽の外箱の一部、例えば、上部パネルの周壁、天板、洗濯水槽の投入口を開閉する蓋板等に挿通孔を貫通形成し、この挿通孔に挿通保持させた導水管の一端を、外箱の内部において給水容器から突設された接続管に接続し、他端を外箱の外部に引き出して所望の給水場所での使用を可能とする。この使用は、蓋板を閉じた状態で行え、使い勝手の向上を図り得る。
【００１４】
また本発明に係るランドリー機器は、給水入口からの給水を通断すべく開閉される給水弁と洗濯水槽内に開口する給水出口を有する給水容器とを給水通路により連絡してなる給水ユニットを、前記洗濯水槽を支持する外箱の一部に備えるランドリー機器において、前記給水通路の中途に接続及び分離が可能な接離部を設け、該接離部の前記給水弁の側の端部に、前記給水容器の側の端部と共に、前記給水通路内の通水を外部に導く導水管との接続を可能とした接続端を備えることを特徴とする。
【００１５】
この発明においては、給水の入口と出口とを連絡する給水通路の途中に設けた接離部を外部からの操作により分離させ、この接離部の給水弁の側の接続端に導水管を接続した状態で給水を行わせることにより、給水通路内を流れる水を導水管を介して外部に導き、該導水管の末端から放出させて種々の用途での使用を可能とする。
【００１６】
また本発明に係るランドリー機器は、前記給水容器内への前記給水通路の連通部に、前記導水管との接続を可能とした接続端を更に備えることを特徴とする。
【００１７】
この発明においては、給水通路の給水容器との連通部に設けた接続端に導水管を接続した状態での給水の引き出しを、給水通路の中途の接離部との接続による給水の引き出しとを選択可能とする。
【００１８】
また本発明に係るランドリー機器は、前記接離部の接続端と前記連通部の接続端とが、異なる種類の導水管との接続が可能に構成してあることを特徴とする。
【００１９】
この発明においては、給水通路の中途の接離部と給水容器内の接続端とを利用して、異なる種類の導水管の接続を可能とし、種々の用途での給水の使用に対応する。
【００２０】
また本発明に係るランドリー機器は、前記接離部が、前記外箱の外面に開口を有する凹部内に配してあり、前記開口からの操作により接続及び分離が可能に構成してあることを特徴とする。
【００２１】
この発明においては、導水管の接続に必要な接離部の分離操作を、外箱の外面に開口を有する凹部内にて簡易に実施する。
【００２２】
また本発明に係るランドリー機器は、前記接離部が、前記外箱の外側に設けてあることを特徴とする。
【００２３】
この発明においては、導水管の接続に必要な接離部の分離操作を、外箱の外側への引き出し部位において簡易に実施する。
【００２４】
また本発明に係るランドリー機器は、前記給水通路の中途に介装され、該給水通路の内部を流れる水に所定の処理を施す水処理ユニットを備えることを特徴とする。
【００２５】
この発明においては、水処理ユニットにより所定の処理がなされた水を導水管を経て外部に取り出し、前記処理により付加された機能を必要とする他の用途での使用を可能とする。
【００２６】
更に本発明に係るランドリー機器は、前記水処理ユニットが、前記給水通路中の水に銀イオンを溶出させる銀イオン溶出ユニットであることを特徴とする。
【００２７】
この発明においては、銀イオン溶出ユニットの通過により抗菌機能が付加された水を導水管を経て外部に取り出し、例えば、食器の洗浄等、抗菌が必要な他の用途での使用を可能とする。
【発明の効果】
【００２８】
本発明に係るランドリー機器においては、給水ユニットの末端に位置する給水容器の一部に接続管を設け、導水管を接続可能としたから、ランドリー機器への給水を簡易に外部に取り出し、導水管の引回し先にて他の目的に使用することが可能となる。
【００２９】
また外箱の一部に導水管を挿通保持する挿通孔を設けたから、洗濯水槽への投入口を閉じた状態、即ち、ランドリー機器の運転状態において給水の外部取り出しが可能となり、使い勝手が向上する。
【００３０】
また本発明に係るランドリー機器においては、給水通路を中途に設けた接離部にて接離し、給水弁の側の端部に導水管を接続可能としたから、ランドリー機器への給水を簡易に外部に取り出し、導水管の引回し先にて他の目的に使用することが可能となる。
【００３１】
また給水容器内への給水通路の連通部にも接続端を設け、更に、この接続端と接離部における接続端とに異なる種類の導水管との接続を可能としたから、複数の用途での給水の使用に簡易に応えることが可能となる。
【００３２】
また外箱の外面に開口を有する凹部内、又は外箱の外側に接離部を配したから、導水管の取り付け及び取り外しに必要な接離部の接離操作を、容易に、しかも確実に行わせることができ、使い勝手が向上する。
【００３３】
更に給水通路の中途に、銀イオン溶出ユニット等の水処理ユニットを介装したから、この水処理ユニットの通過により付加機能を加えられた水を導水管を経て外部に取り出し、他の目的に使用することが可能となる等、本発明は優れた効果を奏する。
【発明を実施するための最良の形態】
【００３４】
以下本発明をその実施の形態を示す図面に基づいて詳述する。図１は、本発明に係るランドリー機器の第１の実施の形態を示す外観斜視図である。図示のランドリー機器は、外箱１の内部に吊り下げ支持された洗濯水槽２を備え、該洗濯水槽２の内部に被洗濯物を投入し、洗濯水及び洗剤を供給した後、外箱１内に設置された図示しないモータにより洗濯水槽２の底部に設けたパルセータを回転させて、該洗濯水槽２内に貯留された洗濯水に渦巻き状の水流を生ぜしめ、この水流の作用により前記被洗濯物を洗濯する公知の洗濯機として構成されている。
【００３５】
外箱１の上部を覆う上部パネル10には、被洗濯物を投入するための投入口11が、内側の洗濯水槽２の上部開口を臨み、折り畳み式の蓋板12により開閉自在に開設されている。なお図には、蓋板12を開放した状態が示されている。上部パネル10の前部には、運転操作のための操作部13が設置され、また、上部パネル10の後部内側には、給水弁３と給水容器４とを給水通路としての給水管５により連結してなり、洗濯水槽２内に洗濯水を給水するための給水ユニットが設置されている。
【００３６】
以上の如く構成されたランドリー機器の特徴は、給水ユニットの構成にある。図２は、給水ユニットの模式図である。なお本図においては、給水ユニット内での水の流れを明示するために、該給水ユニットを構成する給水弁３、給水容器４及び給水管５を直線的に並べて示してあり、図１における配置とは異なる。
【００３７】
給水弁３には、給水入口となる短寸の入口管30が立設され、上部パネル10の上面から外部に適長突出させてあり、給水ユニットへの給水は、図１、図２中に２点鎖線により示す如く、水道管の中途から分岐された分岐管（分岐ホース）31を前記入口管30の突出部に嵌め込み固定してなされている。給水弁３は、操作部13の操作に応じて図示しない制御部から発せられる動作指令に従って開閉され、分岐管31から入口管30への給水は、図２中に矢符により示す如く、給水弁３の開放により給水管５を経て給水容器４に導入される。
【００３８】
給水容器４は、内側を空洞とした箱形をなす貯水容器であり、図１に示す如く、上部パネル10に開設された投入口11の内面から一部を突出させて取り付けてある。この突出部の下面には、洗濯水槽２の内側に臨むように給水出口40（図２参照）が開設されており、給水容器４内に前述の如く導入される給水は、該給水容器４内に一旦滞留した後、前記給水出口40から放水され、洗濯水槽２の内部に供給される。
【００３９】
このような給水容器４には、前記投入口11から突出する前面壁の略中央を内外に貫通するように接続管６が取り付けられている。接続管６は、図１に示す如く、投入口11の内側に適長突設され、この突設部には、管用の雄ねじが外面に形成された接続端60が設けられており、図２中に２点鎖線により示す導水管７の接続が可能とされている。
【００４０】
この導水管７は、例えば、可撓性を有する耐圧ホースであり、図２に示す一端部に、前記接続端60の外面に形成された雄ねじに対応する管用の雌ねじを内面に有する円筒形のコネクタ70を備えており、このコネクタ70を前記接続端60にねじ込むことにより、接続管６と水密状態を保って接続されるようになしてある。このような接続がなされた場合、前記給水容器４内への給水は、接続管６を介して導水管７に導出され、該導水管７の他端の引回し先にて放水させて使用することができる。
【００４１】
なお、このような導水管７を接続する場合、給水容器４に開設された給水出口40を閉止することにより、前記給水の全量が導水管７に導出され、引回し先での使用に供することができる。給水出口40の閉止は、例えば、手動式の蓋部材を給水出口40に付設することにより簡易に実現することができる。また接続管６には、端部開口に着脱可能なキャップを付設し、導水管７を接続しない場合、このキャップの取り付けにより接続管６の開口を閉止して、給水容器４内への給水の全量が給水出口40から放出されるように構成することができる。
【００４２】
図３は、本発明に係るランドリー機器の第２の実施の形態を示す外観斜視図である。本図に示すランドリー機器の基本構成は、給水ユニットの構成を含めて第１図に示すランドリー機器と同様であり、更に加えて、外箱１の上部パネル10の側面に、内外に貫通する挿通孔14が形成されている。この挿通孔14には、導水管７が挿通保持されており、投入口11内への延設端部に付設されたコネクタ70により、給水容器４から突設された接続管６に接続可能としてある。
【００４３】
この構成によれば、導水管７の接続を、蓋板12により投入口11の上部を閉止した状態で実現することができ、例えば、ランドリー機器の運転中に導水管７の引回し先での給水の利用が可能となる。なお、図３に示す導水管７は、外箱１の外部に引き出された放水端にシャワーヘッド71を備えるシャワーホースとして構成されているが、この導水管７は、引回し先での用途に応じて種々の放水ヘッドを備えて構成することが可能であることは言うまでもない。
【００４４】
なお挿通孔14は、図３に示す位置に限らず、内部において回転する洗濯水槽２に干渉せずに導水管７を挿通保持し得る位置であれば、蓋板12を含む外箱１の適宜の位置に形成することが可能である。
【００４５】
図４は、本発明に係るランドリー機器の第３の実施の形態を示す給水ユニットの模式図である。本図に示す給水ユニットにおいては、給水容器４への給水管５の連結部が、前記給水容器４の内部に延長され、この延長部に接続端60を備える接続管６が一体形成されており、この接続管６に導水管７が接続される構成としてある。投入口11内に突出する給水容器４の前面は、開閉可能な蓋板41により覆ってあり、給水容器４の内部に位置する接続管６への導水管７の接続は、図中に２点鎖線により示す如く蓋板41を開放して行わせるようになしてある。
【００４６】
この実施の形態においても、接続管６に導水管７を接続した場合、給水容器４への給水が導水管７に導出され、該導水管７の引回し先での使用に供することができる。その上、この実施の形態においては、接続管６が投入口11の内側に突出することがなく、該投入口11を介してなされる洗濯水槽２への洗濯物の投入、又は洗濯水槽２からの洗濯物の取り出しを容易に行わせることができる。なお、図３に示す実施の形態において、他の部分の構成は、図２に示す第１の実施の形態と同様であり、対応する構成部材に図１と共通の参照符号を付して、構成及び動作の詳細な説明を省略する。
【００４７】
図５は、第３の実施の形態の変形例を示す給水ユニットの模式図である。本図に示す給水ユニットは、給水容器４の前面上部に連設された洗剤投入ケース42を備え、導水管７を接続しない状態で給水を行った場合、洗剤投入ケース42の内部に投入された洗剤が給水容器４内に滞留する給水中に溶け出し、給水出口40から洗濯水槽２内に供給されるように構成してある。なお洗剤投入ケース42の上部は、開閉自在な蓋板43により覆ってあり、洗剤の投入は、この蓋板43を開放して行われる。
【００４８】
このような洗剤投入ケース42は、図１〜図３に示す第１，第２の実施の形態においても全く同様に付設可能であり、また以下に示す他の実施の形態においても付設可能であることは言うまでもなく、また、漂白剤、後処理剤等、洗剤以外の洗濯補助剤の投入に用いることもできる。  
【００４９】
図６は、本発明に係るランドリー機器の第４の実施の形態を示す給水ユニットの模式図である。この実施の形態においては、給水弁３と給水容器４とを連結する給水管５が、給水弁３側の第１管51と給水容器４側の第２管52とに分割され、この第１管51と第２管52とが、前者の端部に設けた接続端53と後者の端部に設けたコネクタ54とにより接離可能に構成してある。
【００５０】
図６には、第１管51と第２管52とを分離させた状態が示されており、第１管51の接続端53は、前記接続管６の接続端60と同様、外面に管用の雄ねじを形成して構成されており、第２管52の接続端54は、前記雄ねじとの螺合が可能な管用の雌ねじを内面に有する円筒形のコネクタとしてある。第１管51と第２管52の接続は、両者の接続端53，54を同軸上に嵌め合わせ、接続端54内周の雌ねじを接続端53外周の雄ねじにねじ込むことにより実現されている。前記接続端53，54は、外箱１の上部パネル10に設けた凹部15内にて対向させてあり、第１管51と第２管52との接離は、上部パネル10の外面に開口する前記凹部15内にて行わせるようにしてある。
【００５１】
図６に示す如く第１管51と第２管52とを分離させた状態において、第１管51の接続端53には、第２管52の接続端54と同一の構成を有するコネクタ70のねじ込みにより、導水管７を接続することができる。この接続は、図中に２点鎖線により示す如く、凹部15の開口から外側に接続端53を向けて行わせればよく、この引き出しは、第１管51を可撓性を有する管とすることにより実現することができる。
【００５２】
このような導水管７の接続がなされた場合、給水弁３を経て第１管51内に供給される給水は、接続端53を介して導水管７に導出され、該導水管７の他端の引回し先にて放水させて使用することができる。一方、第１管51と第２管52とが接続状態にある場合、前記給水は、第１管51及び第２管52を経て給水容器４内に流れ込み、給水出口40から放出されて洗濯水槽２内に供給され、洗濯水として利用される。
【００５３】
図７は、本発明に係るランドリー機器の第５の実施の形態を示す給水ユニットの模式図である。この実施の形態においては、第４の実施の形態と同様、給水弁３と給水容器４とを連結する給水管５が、給水弁３側の第１管51と給水容器４側の第２管52とに分割され、この第１管51と第２管52とが、前者の端部に設けた接続端53と後者の端部に設けたコネクタ54とにより接離可能に構成してあり、更に、第３の実施の形態と同様、給水容器４への第２管52の連結部が、前記給水容器４の内部に延長され、この延長部に接続端60を備える接続管６が一体形成されている。
【００５４】
給水容器４内の接続端60は、第３の実施に形態と同様、外周に管用の雄ねじを形成してなり、前述の如きねじ込み式のコネクタ70を備える導水管７との接続が可能である。一方、第１管51の接続端53と第２管52の接続端54とは、第４の実施の形態とは異なり、雄片として形成された前者を雌筒として形成された後者に嵌め込むことにより、ワンタッチでの接続が可能なカプラとして構成してある。このような第１管51の接続端53には、第２管52の接続端54と同一の構成を有するコネクタ71を備える導水管７の接続が可能である。
【００５５】
この実施の形態においては、給水容器４の内部及び給水管５の中途に、夫々異なる種類のコネクタ70，71を備える導水管７を接続することができ、このように接続された導水管７，７を経て洗濯水槽２への給水を外部に導出して使用することができる。なお、給水管５の中途を複数か所にて接離可能とし、夫々に異なる導水管７，７を接続可能に構成することも可能である。
【００５６】
図８は、本発明に係るランドリー機器の第６の実施の形態を示す給水ユニットの模式図である。この実施の形態においては、第４の実施の形態と同様、給水弁３と給水容器４とを連結する給水管５が、給水弁３側の第１管51と給水容器４側の第２管52とに分割され、夫々の突き合わせ端部に設けた接続端53及びコネクタ54により接離可能に構成してある。一方第４の実施の形態とは異なり、第１管51と第２管52とが中途に屈曲部を備える屈曲管としてあり、両者の連結が、上部パネル10の外側においてなされている。
【００５７】
この実施の形態においては、第１管51と第２管52との分離、及びその後の導水管７の取り付け、更には、導水管７の取り外し、及びその後の第１管51と第２管52との接続を、上部パネル10の外側、即ち、外箱１の外側において行わせることができ、使い勝手の向上を図ることができる。一方、第１管51及び第２管52の一部が上部パネル10の外側に露出し、見栄えの低下を招くという欠点もあり、この欠点の解消を図るべく、第１管51及び第２管52として、可撓性を有する十分に長い管を使用し、上部パネル10の外側への引き出し及び内側への押し込みを可能とする構成としてもよい。
【００５８】
図９は、本発明に係るランドリー機器の第７の実施の形態を示す給水ユニットの模式図である。本図に示す給水ユニットは、図２に示す第１の実施の形態と同様、給水弁３と給水容器４とを、給水通路としての給水管５により連結し、給水容器４の前面に突設された接続管６の接続端60に導水管７の接続が可能に構成してある。
【００５９】
更にこの実施の形態においては、給水管５の中途に、該給水管５中を流れる水に所定の処理を施す水処理ユニット８が介装されている。この水処理ユニット８は、例えば、内部を通過する水に銀イオンを溶出させ、抗菌機能が付加された水を給水管５の下流側に送り出す銀イオン溶出ユニットとして構成することができる。この構成によれば、導水管７の接続時に抗菌機能を有する水を外部に導出することができ、食器の洗浄等、抗菌性が要求される洗濯以外の用途に使用することができる。
【００６０】
このような水処理ユニット８は、第１〜第６の実施の形態の全てについて、導水管７の接続位置よりも上流側において同様に介装することができ、同様の効果を得ることが可能である。また水処理ユニット８としては、前述した銀イオン溶出ユニットに限らず、洗濯水として有利な処理をなし得る適宜の水処理ユニットを採用することが可能であることは言うまでもない。
【図面の簡単な説明】
【００６１】
【図１】本発明に係るランドリー機器の第１の実施の形態を示す外観斜視図である。
【図２】図１に示すランドリー機器における給水ユニットの模式図である。
【図３】本発明に係るランドリー機器の第２の実施の形態を示す外観斜視図である。
【図４】本発明に係るランドリー機器の第３の実施の形態を示す給水ユニットの模式図である。
【図５】第３の実施の形態の変形例を示す給水ユニットの模式図である。
【図６】本発明に係るランドリー機器の第４の実施の形態を示す給水ユニットの模式図である。
【図７】本発明に係るランドリー機器の第５の実施の形態を示す給水ユニットの模式図である。
【図８】本発明に係るランドリー機器の第６の実施の形態を示す給水ユニットの模式図である。
【図９】本発明に係るランドリー機器の第７の実施の形態を示す給水ユニットの模式図である。
【符号の説明】
【００６２】
１    外箱
２    洗濯水槽
３    給水弁
４    給水容器
５    給水管（給水通路）
６    接続管
７    導水管
８    水処理ユニット
10    上部パネル
11    投入口
12    蓋板
14    挿通孔
15    凹部
30    入口管
40    給水出口
51    第１管
52    第２管
53    接続端
60    接続端
【図１】
2005329120.tif 000003
【図２】
2005329120.tif 000004
【図３】
2005329120.tif 000005
【図４】
2005329120.tif 000006
【図５】
2005329120.tif 000007
【図６】
2005329120.tif 000008
【図７】
2005329120.tif 000009
【図８】
2005329120.tif 000010
【図９】
2005329120.tif 000011